(57)【特許請求の範囲】
【請求項１】
被写体像を撮像して画像を生成する撮像手段と、
前記撮像手段によって生成された画像を動画として表示する表示装置と、
前記撮像手段によって生成されて前記表示装置に動画として表示され得る前記画像を一時的に格納するバッファ手段と、
前記撮像手段によって生成された画像をユーザ操作に応じて記録する記録手段と
を備えた電子カメラにおいて、
前記バッファ手段を介して前記表示装置への動画の表示を実現する第１表示と、該バッファ手段を介さずに該表示装置への動画の表示を実現する第２表示とを、所定のタイミングで切り換える表示切換手段
を備えたことを特徴とする電子カメラ。
【請求項２】
請求項１に記載の電子カメラにおいて、
前記記録手段による前記画像の記録に係わるユーザ操作を、２段階の押圧によって受け付ける操作部材と、
前記操作部材の１段目が押圧されるまで自動露出調整と自動焦点調整との少なくとも一方を行う調整手段と
を備え、
前記表示切換手段は、
前記操作部材の１段目が押圧されるまでは前記第１表示を行い、該レリーズスイッチの１段目が押圧されると該第１表示から前記第２表示への切り換えを行う
ことを特徴とする電子カメラ。
【請求項３】
請求項１に記載の電子カメラにおいて、
自動露出調整を行う露出調整手段と、
前記露出調整手段による前記自動露出調整を停止するためのユーザ操作を受け付ける操作部材と
を備え、
前記表示切換手段は、
前記操作部材を介して前記自動露出調整を停止するためのユーザ操作が受け付けられるまでは前記第１表示を行い、該ユーザ操作が受け付けられると該第１表示から前記第２表示への切り換えを行う
ことを特徴とする電子カメラ。
【請求項４】
請求項１に記載の電子カメラにおいて、
自動焦点調整を行う焦点調整手段と、
前記焦点調整手段による前記自動焦点調整を停止するためのユーザ操作を受け付ける操作部材と
を備え、
前記表示切換手段は、
前記操作部材を介して前記自動焦点調整を停止するためのユーザ操作が受け付けられるまでは前記第１表示を行い、該ユーザ操作が受け付けられると該第１表示から前記第２表示への切り換えを行う
ことを特徴とする電子カメラ。
【請求項５】
請求項１に記載の電子カメラにおいて、
自動露出調整を行う露出調整手段と、
自動焦点調整を行う焦点調整手段と、
前記露出調整手段による前記自動露出調整と前記焦点調整手段による前記自動焦点調整とを停止するためのユーザ操作を受け付ける操作部材と
を備え、
前記表示切換手段は、
前記操作部材を介して前記自動露出調整と前記自動焦点調整とを停止するためのユーザ操作が受け付けられるまでは前記第１表示を行い、該ユーザ操作が受け付けられると該第１表示から前記第２表示への切り換えを行う
ことを特徴とする電子カメラ。
【請求項６】
請求項１に記載の電子カメラにおいて、
前記表示切換手段は、
前記第２表示の実行を有効にするか否かをユーザ操作に応じて決定する
ことを特徴とする電子カメラ。
【請求項７】
被写体像を撮像して画像を生成する撮像手段と、
前記撮像手段によって生成された画像を動画として表示する表示装置と、
前記撮像手段によって生成された前記画像を一時的に格納する第１バッファ手段と、
前記第１バッファ手段から出力され、前記表示装置に動画として表示され得る前記画像を一時的に格納する第２バッファ手段と、
前記撮像手段によって生成された画像をユーザ操作に応じて記録する記録手段と、
を備えた電子カメラにおいて、
前記第２バッファ手段を介して前記表示装置への動画の表示を実現する第１表示と、該第２バッファ手段を介さずに該表示装置への動画の表示を実現する第２表示とを、所定のタイミングで切り換える表示切換手段
を備えたことを特徴とする電子カメラ。
【発明の詳細な説明】
【０００１】
【発明の属する技術分野】
本発明は、表示装置を備えた電子カメラに関する。
【０００２】
【従来の技術】
従来から、電子カメラには、スルー画を、ファインダとして利用可能な動画として表示装置に表示する機能を備えたものがある。
このような機能を備えた電子カメラには、内部に設けられた撮像素子や表示装置等を、ビデオ同期信号（以下、「Ｖ信号」と称する）に応じて駆動するために、撮像素子等を介して生成されるスルー画用のデータを一時的に格納するためのバッファ（以下、「撮影画用バッファ」と称する）と、表示装置に表示するためのスルー画用のデータを一時的に格納するためのバッファ（以下、「表示画用バッファ」と称する）とを２つずつ設けたものがある。
【０００３】
すなわち、このような電子カメラでは、Ｖ信号に応じて、一方の撮影画用バッファへのスルー画用のデータの格納が行われている間には、前回のＶ信号に応じて他方の撮影画用バッファへの格納が完了しているスルー画用のデータが一方の表示画用バッファへ転送されることになる。また、このようにして一方の表示画用バッファへのスルー画用のデータの転送が行われている間には、前回のＶ信号に応じて他方の表示画用バッファへの転送が完了しているスルー画用のデータが表示装置に表示されることになる。
【０００４】
【発明が解決しようとする課題】
しかし、このように撮影画用バッファや表示画用バッファを介して実現されるスルー画の表示では、撮像素子によるスルー画用のデータに関わる画像信号の生成が開始されてから、その画像信号がスルー画として表示装置に表示されるまでには、Ｖ信号の３周期分の時間を要する。したがって、表示装置に表示されるスルー画は、常に、Ｖ信号の３周期分前の被写体の画像となってしまう。
【０００５】
そのため、撮影者が実際の被写体を見ずにスルー画を見ながら撮影を行う場合には、前述したようなスルー画の表示の遅れによって、シャッターチャンスを逃してしまう可能性が高かった。
そこで、本発明は、ファインダとして利用可能な動画を的確に表示することができる電子カメラを提供することを目的とする。
【０００６】
【課題を解決するための手段】
請求項１に記載の電子カメラは、被写体像を撮像して画像を生成する撮像手段と、前記撮像手段によって生成された画像を動画として表示する表示装置と、前記撮像手段によって生成されて前記表示装置に動画として表示され得る前記画像を一時的に格納するバッファ手段と、前記撮像手段によって生成された画像をユーザ操作に応じて記録する記録手段とを備えた電子カメラにおいて、前記バッファ手段を介して前記表示装置への動画の表示を実現する第１表示と、該バッファ手段を介さずに該表示装置への動画の表示を実現する第２表示とを、所定のタイミングで切り換える表示切換手段を備えたことを特徴とする。
【０００７】
請求項２に記載の電子カメラは、請求項１に記載の電子カメラにおいて、前記記録手段による前記画像の記録に係わるユーザ操作を、２段階の押圧によって受け付ける操作部材と、前記操作部材の１段目が押圧されるまで自動露出調整と自動焦点調整との少なくとも一方を行う調整手段とを備え、前記表示切換手段は、前記操作部材の１段目が押圧されるまでは前記第１表示を行い、該レリーズスイッチの１段目が押圧されると該第１表示から前記第２表示への切り換えを行うことを特徴とする。
【０００８】
請求項３に記載の電子カメラは、請求項１に記載の電子カメラにおいて、自動露出調整を行う露出調整手段と、前記露出調整手段による前記自動露出調整を停止するためのユーザ操作を受け付ける操作部材とを備え、前記表示切換手段は、前記操作部材を介して前記自動露出調整を停止するためのユーザ操作が受け付けられるまでは前記第１表示を行い、該ユーザ操作が受け付けられると該第１表示から前記第２表示への切り換えを行うことを特徴とする。
【０００９】
請求項４に記載の電子カメラは、請求項１に記載の電子カメラにおいて、自動焦点調整を行う焦点調整手段と、前記焦点調整手段による前記自動焦点調整を停止するためのユーザ操作を受け付ける操作部材とを備え、前記表示切換手段は、前記操作部材を介して前記自動焦点調整を停止するためのユーザ操作が受け付けられるまでは前記第１表示を行い、該ユーザ操作が受け付けられると該第１表示から前記第２表示への切り換えを行うことを特徴とする。
【００１０】
請求項５に記載の電子カメラは、請求項１に記載の電子カメラにおいて、自動露出調整を行う露出調整手段と、自動焦点調整を行う焦点調整手段と、前記露出調整手段による前記自動露出調整と前記焦点調整手段による前記自動焦点調整とを停止するためのユーザ操作を受け付ける操作部材とを備え、前記表示切換手段は、前記操作部材を介して前記自動露出調整と前記自動焦点調整とを停止するためのユーザ操作が受け付けられるまでは前記第１表示を行い、該ユーザ操作が受け付けられると該第１表示から前記第２表示への切り換えを行うことを特徴とする。
【００１１】
請求項６に記載の電子カメラは、請求項１に記載の電子カメラにおいて、前記表示切換手段は、前記第２表示の実行を有効にするか否かをユーザ操作に応じて決定することを特徴とする。
請求項７に記載の電子カメラは、被写体像を撮像して画像を生成する撮像手段と、前記撮像手段によって生成された画像を動画として表示する表示装置と、前記撮像手段によって生成された前記画像を一時的に格納する第１バッファ手段と、前記第１バッファ手段から出力され、前記表示装置に動画として表示され得る前記画像を一時的に格納する第２バッファ手段と、前記撮像手段によって生成された画像をユーザ操作に応じて記録する記録手段と、を備えた電子カメラにおいて、前記第２バッファ手段を介して前記表示装置への動画の表示を実現する第１表示と、該第２バッファ手段を介さずに該表示装置への動画の表示を実現する第２表示とを、所定のタイミングで切り換える表示切換手段を備えたことを特徴とする。
【００１２】
【発明の実施の形態】
以下、図面に基づいて、本発明の実施形態について詳細を説明する。
【００１３】
図１は、本発明の実施形態に対応する電子カメラの機能ブロック図である。
図１において、電子カメラ１は、制御部１０、レンズ１１、絞り１２、撮像素子１３、画像処理部１４、表示制御部１５、表示装置１６、圧縮記録部１７、ＴＧ（timing generator：タイミングジェネレータ）１８、操作部１９を備えている。また、画像処理部１４は、スルー画用画像処理部３０、スイッチＳＷ−ａ、第１の撮影画用バッファ３１、第２の撮影画用バッファ３２、スイッチＳＷ−ｂ、スイッチＳＷ−ｃ、第１の表示画用バッファ３３、第２の表示画用バッファ３４、スイッチＳＷ−ｄ、スチル画用画像処理部３５、スチル画用バッファ３６を備えている。
【００１４】
制御部１０は、不図示のレンズ駆動部を介してレンズ１１に接続され、不図示のＡＦセンサ等から供給されるデータに基づいてＡＦ（自動焦点調整）を行う。また、制御部１０は、不図示の絞り駆動部を介して絞り１２に接続され、不図示の測光部等から供給されるデータに基づいてＡＥ（自動露出調整）を行う。さらに、制御部１０は、画像処理部１４内の各部、表示制御部１５、圧縮記録部１７、ＴＧ１８、操作部１９に接続され、ＴＧ１８から出力されるＶ信号等の各種制御信号を入力して、画像処理部１４内の各部、表示制御部１５、圧縮記録部１７に対する駆動のタイミング等の制御を行うと共に、操作部１９を構成するスイッチ（例えば、電源スイッチ、半押しと全押しとの２段階の押圧が可能なレリーズスイッチ、ＡＥおよびＡＦを強制的にロックするためのＡＥ／ＡＦロックスイッチ、種々のモードを切り換えるためのスイッチ等）の状態を常時監視する。
【００１５】
撮像素子１３は、ＴＧ１８に接続され、ＴＧ１８から出力される各種制御信号に応じて駆動し、レンズ１１および絞り１２を介して入射される光に基づいて生成した画像信号を画像処理部１４に供給する。
画像処理部１４内のスルー画用画像処理部３０は、撮像素子１３から供給される画像信号に対して、スルー画用の種々の画像処理を施してスルー画用のデータを生成する。
【００１６】
このようにして生成されるスルー画用のデータは、スイッチＳＷ−ａを介して、第１の撮影画用バッファ３１または第２の撮影画用バッファ３２に格納される。そして、スイッチＳＷ−ｂおよびスイッチＳＷ−ｃを介して第１の表示画用バッファ３３または第２の表示画用バッファ３４に格納された後、スイッチＳＷ−ｄを介して表示制御部１５に供給されたり、スイッチＳＷ−ｂ、スイッチＳＷ−ｃ、スイッチＳＷ−ｄを介して、直接、表示制御部１５に供給される。
【００１７】
また、画像処理部１４内のスチル画用画像処理部３５は、撮像素子１３から供給される画像信号に対し、スチル画用の種々の画像処理を施してスチル画用のデータを生成する。
このようにして生成されるスチル画用のデータは、スチル画用バッファ３６を介して、表示制御部１５や圧縮記録部１７に供給される。
【００１８】
表示制御部１５は、前述したようにして供給されるスルー画用のデータやスチル画用のデータを、表示用のデータに変換して、表示装置１６に表示する。
圧縮記録部１７は、前述したようにして供給されるスチル画用のデータを、圧縮して記録用のデータに変換し、メモリカード（カード状のリムーバブルメモリ）５０に記録する。
【００１９】
以下、説明を簡単にするため、撮像素子１３によって生成される画像信号から、スルー画用画像処理部３０を介してスルー画用のデータを生成し、そのスリー画用のデータをスイッチＳＷ−ａを介して第１の撮影画用バッファ３１または第２の撮影画用バッファ３２に格納する一連の処理を、「スルー画取込処理」と称する。
【００２０】
また、第１の撮影画用バッファ３１または第２の撮影画用バッファ３２に格納されているスルー画用のデータを、スイッチＳＷ−ｂおよびスイッチＳＷ−ｃを介して、第１の表示画用バッファ３３または第２の表示画用バッファ３４に転送して格納する処理を、「バッファ間転送処理」と称する。
さらに、第１の表示画用バッファ３３または第２の表示画用バッファ３４に格納されているスルー画用のデータをスイッチＳＷ−ｄを介して表示制御部１５に供給して表示装置１６に表示する処理や、第１の撮影画用バッファ３１または第２の撮影画用バッファ３２に格納されているスルー画用のデータをスイッチＳＷ−ｂ、スイッチＳＷ−ｃ、スイッチＳＷ−ｄを介して表示制御部１５に供給して表示装置１６に表示する処理を、「スルー画表示処理」と称する。
【００２１】
また、撮像素子１３によって生成される画像信号から、スチル画用画像処理部３５を介してスチル画用のデータを生成し、そのスチル画用のデータをスチル画用バッファ３６を介して圧縮記録部１７に供給してメモリカード５０に記録する一連の処理を、「スチル画記録処理」と称する。なお、スチル画記録処理には、スチル画用のデータを表示制御部１５に供給して表示装置１６に表示する処理を含ませても良い。
【００２２】
図２および図３は、本発明の実施形態に対応する電子カメラの動作フローチャートであり、特に、撮影者によって電源スイッチがオンされた状態における制御部１０の動作を示す。
以下、図１ないし図３を参照して本実施形態の動作を説明する。
ステップＳ１において、制御部１０は、Ｖ信号が入力されたか否かを判定する。そして、制御部１０は、Ｖ信号が入力されるまでステップＳ１の動作を繰り返し、Ｖ信号が入力されるとステップＳ２に動作を移行する。
【００２３】
ステップＳ２において、制御部１０は、画像処理部１４内の各スイッチを、以下のように切り換える。
まず、制御部１０は、電源スイッチがオンされた直後には、スイッチＳＷ−ａを接点ａ１、スイッチＳＷ−ｂを接点ｂ２、スイッチＳＷ−ｃを接点ｃ２、スイッチＳＷ−ｄを接点ｄ１に閉じ、その後、新たにＶ信号が入力されると、スイッチＳＷ−ａを接点ａ２、スイッチＳＷ−ｂを接点ｂ１、スイッチＳＷ−ｃを接点ｃ１、スイッチＳＷ−ｄを接点ｄ２に切り換える。さらにＶ信号が入力されると、制御部１０は、スイッチＳＷ−ａを接点ａ１、スイッチＳＷ−ｂを接点ｂ２、スイッチＳＷ−ｃを接点ｃ２、スイッチＳＷ−ｄを接点ｄ１に切り換える。
【００２４】
すなわち、本実施形態における画像処理部１４内の各スイッチの切り換えとは、「スイッチＳＷ−ａを接点ａ１、スイッチＳＷ−ｂを接点ｂ２、スイッチＳＷ−ｃを接点ｃ２、スイッチＳＷ−ｄを接点ｄ１に閉じる状態（以下、「状態１」と称する）」と、「スイッチＳＷ−ａを接点ａ２、スイッチＳＷ−ｂを接点ｂ１、スイッチＳＷ−ｃを接点ｃ１、スイッチＳＷ−ｄを接点ｄ２に閉じる状態（以下、「状態２」と称する）」とを切り換えることを意味する。
【００２５】
ステップＳ３において、制御部１０は、スルー画取込処理を開始する。
ステップＳ４において、制御部１０は、バッファ間転送処理を開始する。
ステップＳ５において、制御部１０は、スルー画表示処理を開始する。
ステップＳ６において、制御部１０は、ＡＥおよびＡＦを開始する。
ステップＳ７において、制御部１０は、レリーズスイッチが半押しされたか否かを判定する。そして、制御部１０は、レリーズスイッチが半押しされていない場合、ステップＳ８に動作を移行し、レリーズスイッチが半押しされた場合、ステップＳ９に動作を移行する。
【００２６】
ステップＳ８において、制御部１０は、電源スイッチがオフされたか否かを判定する。そして、電源スイッチがオフされていない場合、ステップＳ１に動作を移行し、電源スイッチがオフされた場合、ステップＳ２２に動作を移行する。
したがって、電源スイッチがオンの状態では、レリーズスイッチが半押しされるまで、ステップＳ１〜ステップＳ８の動作が繰り返されることになる。
【００２７】
その結果、例えば、図４（ａ）に示すように、画像処理部１４内の各スイッチが前述した状態１に切り換えられている場合、新たに生成されたスルー画用のデータは、図中に太線で示すように第１の撮影画用バッファ３１に格納される。また、既に第２の撮影画用バッファ３２に格納されているスルー画用のデータは第２の表示画用バッファ３４に転送され、既に第１の表示画用バッファ３３に格納されているスルー画用のデータは表示制御部１５を介して表示装置１６に表示される。
【００２８】
また、その後、新たにＶ信号が入力されて、図４（ｂ）に示すように、画像処理部１４内の各スイッチが前述した状態２に切り換えられると、図４（ａ）において第１の撮影画用バッファ３２に格納されたスルー画用のデータは、図４（ｂ）に太線で示すように第１の表示画用バッファ３４に転送される。また、新たに生成されたスルー画用のデータは第２の撮影画用バッファ３１に格納され、既に第２の表示画用バッファ３３に格納されているスルー画用のデータは表示制御部１５を介して表示装置１６に表示される。
【００２９】
そして、さらにＶ信号が入力されると、図４（ｃ）に示すように、画像処理部１４内の各スイッチが前述した状態１に切り換えられ、図４（ｂ）において第１の表示画用バッファ３３に格納されたスルー画用のデータは、図４（ｃ）に太線で示すように表示制御部１５を介して表示装置１６に表示される。また、新たに生成されたスルー画用のデータは第１の撮影画用バッファ３１に格納され、図４（ｂ）において第２の撮影画用バッファ３２に格納されたスルー画用のデータは第２の表示画用バッファ３４に転送される。
【００３０】
すなわち、ステップＳ１〜ステップＳ８の動作が繰り返される過程では、撮像素子１３と表示装置１６との間で確実に同期がとられた状態で表示が実現されるが、スルー画取込処理によって第１の撮影画用バッファ３１または第２の撮影画用バッファ３２に格納されたスルー画用のデータは、第１の撮影画用バッファ３１または第２の撮影画用バッファ３２への格納が開始された時点から、Ｖ信号の２周期分遅延して表示されることになる。なお、このような遅延は、スルー画用のデータに関わる画像信号の生成が撮像素子１３によって開始される時点を基準にすると、既存の電子カメラと同様に、Ｖ信号の３周期分に相当する。以下、このような既存の電子カメラと同様の表示を「標準表示」と称する。
【００３１】
ステップＳ９において（ステップＳ７においてレリーズスイッチが半押しされた場合）、制御部１０は、ＡＥおよびＡＦをロックする。
ステップＳ１０において、制御部１０は、Ｖ信号が入力されたか否かを判定する。そして、制御部１０は、Ｖ信号が入力されるまでステップＳ１０の動作を繰り返し、Ｖ信号が入力されるとステップＳ１１に動作を移行する。
【００３２】
ステップＳ１１において、制御部１０は、高速表示（詳細は後述する）を有効にするモードが、撮影者によって、予め設定されているか否かを判定する。そして、制御部１０は、高速表示を有効にするモードが設定されている場合、ステップＳ１２に動作を移行し、高速表示を有効にするモードが設定されていない場合、ステップＳ１７に動作を移行する。
【００３３】
ステップＳ１２において、制御部１０は、画像処理部１４内の各スイッチを、高速表示用に固定する。すなわち、制御部１０は、スイッチＳＷ−ａを接点ａ１、スイッチＳＷ−ｂを接点ｂ１、スイッチＳＷ−ｃを接点ｃ３、スイッチＳＷ−ｄを接点ｄ３に固定する。
ステップＳ１３において、制御部１０は、スルー画取込処理を開始する。
【００３４】
ステップＳ１４において、制御部１０は、スルー画表示処理を開始する。
したがって、画像処理部１４内の各スイッチが前述したように高速表示用に固定された状態では、図５に太線で示すように、第１の撮影画用バッファ３１に格納されたスルー画用のデータを、第１の表示画用バッファ３３を介さずに表示制御部１５に直接供給することができる。すなわち、スルー画取込処理によって第１の撮影画用バッファ３１に新たに格納されるスルー画用のデータを、標準表示よりも速やかに、表示装置に表示することが可能である。以下、このような表示を「高速表示」と称する。
【００３５】
ステップＳ１５において、制御部１０は、レリーズスイッチが全押しされたか否かを判定する。そして、制御部１０は、レリーズスイッチが全押しされていない場合、ステップＳ１６に動作を移行し、レリーズスイッチが全押しされた場合、ステップＳ２１に動作を移行する。
【００３６】
ステップＳ１６において、制御部１０は、レリーズスイッチが半押しの状態か否かを判定する。そして、制御部１０は、レリーズスイッチが半押しの状態である場合、ステップＳ１０に動作を移行し、レリーズスイッチが半押しの状態でない場合（レリーズスイッチの押圧が解除された場合）、ステップＳ１に動作を移行する。
【００３７】
したがって、高速表示を有効にするモードが設定されている状態では、レリーズスイッチが継続して半押しされている場合、ステップＳ１０〜ステップＳ１６の動作が繰り返されて、高速表示が繰り返し行われることになる。
ステップＳ１７において（ステップＳ１１において高速表示を有効にするモードが設定されていない場合）、制御部１０は、ステップＳ２と同様に、画像処理部１４内の各スイッチを切り換える。
【００３８】
ステップＳ１８において、制御部１０は、ステップＳ３と同様に、スルー画取込処理を開始する。
ステップＳ１９において、制御部１０は、ステップＳ４と同様に、バッファ間転送処理を開始する。
ステップＳ２０において、制御部１０は、ステップＳ５と同様に、スルー画表示処理を開始する。そして、制御部１０は、ステップ１５に動作を移行する。
【００３９】
したがって、高速表示を有効にするモードが設定されていない状態では、レリーズスイッチが継続して半押しされている場合、ステップＳ１０，ステップＳ１１，ステップＳ１７〜ステップＳ２０，ステップＳ１５，ステップＳ１６の動作が繰り返されて、標準表示が繰り返し行われることになる。
ステップＳ２１において（ステップＳ１５においてレリーズスイッチが全押しされた場合）、制御部１０は、スチル画記録処理を開始する。そして、制御部１０は、ステップＳ１に動作を移行する。
【００４０】
したがって、レリーズスイッチが全押しされてスチル画記録処理が行われた場合や、前述したようにレリーズスイッチの押圧が解除された場合には、ステップ１以降の動作が繰り返されることになる。
ステップＳ２２において（ステップＳ８において電源スイッチがオフされた場合）、制御部１０は、所定の電源オフ処理を行って、動作を終了する。
【００４１】
以上説明したように、本実施形態ではレリーズスイッチが半押しされるまでのように、撮影者が被写体の構図を決定するためにスルー画を利用する場合には、同期を重視した標準表示を行うことができ、レリーズスイッチが半押しされた状態のように、撮影者が撮影のタイミング（レリーズスイッチを全押しするタイミング）を見極めるためにスルー画を利用する場合には、レスポンスを重視した高速表示を行うことができる。すなわち、標準表示と高速表示とを、特性に応じて的確に切り換えることができる。
【００４２】
したがって、本実施形態によれば、撮影者は、シャッターチャンスを逃すこと無く撮影を行うことが可能である。
なお、本実施形態では、高速表示を有効にするモードが設定されている場合、レリーズスイッチが半押しされると、標準表示から高速表示への切り換えが行われるが、このような切り換えは、図６および図７に示すように、レリーズスイッチの半押しに関係なく、ＡＥ／ＡＦロックスイッチがオンされた場合に行っても良い。
【００４３】
すなわち、制御部１０は、ＡＥ／ＡＦロックスイッチがオンされるまで、図６のステップＳ３０〜ステップＳ３６の動作を繰り返して、標準表示を行う。
そして、ＡＥ／ＡＦロックスイッチがオンされると、制御部１０は、ＡＥおよびＡＦをロックし（図６Ｓ３７）、高速表示を有効にするモードが設定されている場合、レリーズスイッチが全押しされるまで、図６のステップＳ３８〜図７のステップＳ４５の動作を繰り返して、高速表示を行う。一方、高速表示を有効にするモードが設定されていない場合、制御部１０は、図６のステップＳ３８，図７のステップＳ３９，ステップＳ４６〜ステップＳ４９，ステップＳ４３〜ステップＳ４５の動作を繰り返して、標準表示を行う。
【００４４】
また、制御部１０は、ＡＥ／ＡＦロックスイッチがオンされた後に高速表示や標準表示を行っている過程で、レリーズスイッチが全押しされると、スチル画記録処理を行い（図７ステップＳ５０）、電源スイッチがオフされると、電源オフ処理を行う（図７ステップＳ５１）。
したがって、ＡＥ／ＡＦロックスイッチがオフされている状態のように、撮影者が被写体の構図を決めている過程でスルー画を利用している可能性が高い場合には、同期を重視した標準表示を行うことができ、ＡＥ／ＡＦロックスイッチがオンされた状態のように、撮影者が撮影のタイミングを見極めるためにスルー画を利用している可能性が高い場合には、レスポンスを重視した高速表示を行うことができる。すなわち、標準表示と高速表示とを、特性に応じて的確に切り換えることができる。
【００４５】
【発明の効果】
以上説明したように、本発明によれば、ファインダとして利用可能な動画を的確に表示することができる。
【図面の簡単な説明】
【図１】本発明の実施形態に対応する電子カメラの機能ブロック図である。
【図２】本発明の実施形態に対応する電子カメラの動作フローチャートである。
【図３】本発明の実施形態に対応する電子カメラの動作フローチャートである。
【図４】標準表示を説明するための図である。
【図５】高速表示を説明するための図である。
【図６】本発明の他の実施形態に対応する電子カメラの動作フローチャートである。
【図７】本発明の他の実施形態に対応する電子カメラの動作フローチャートである。
【符号の説明】
１  電子カメラ
１０  制御部
１１  レンズ
１２  絞り
１３  撮像素子
１４  画像処理部
１５  表示制御部
１６  表示装置
１７  圧縮記録部
１８  ＴＧ
１９  操作部
３０  スルー画用画像処理部
３１  第１の撮影画用バッファ
３２  第２の撮影画用バッファ
３３  第１の表示画用バッファ
３４  第２の表示画用バッファ
３５  スチル画用画像処理部
３６  スチル画用バッファ
５０  メモリカード
ＳＷ−ａ、ＳＷ−ｂ、ＳＷ−ｃ、ＳＷ−ｄ  スイッチ
ａ１、ａ２、ｂ１、ｂ２、ｃ１、ｃ２、ｄ１、ｄ２  接点
【図１】
0003757905.tif 000002
【図２】
0003757905.tif 000003
【図３】
0003757905.tif 000004
【図４】
0003757905.tif 000005
【図５】
0003757905.tif 000006
【図６】
0003757905.tif 000007
【図７】
0003757905.tif 000008